(57)【特許請求の範囲】
【請求項１】
両側支扞と上下横扞で形成された枠体内に透過性を有するパネル体を装着してなる衝立パネルにおいて、前記パネル体に小さな透光部を密に形成するとともに、その他を非透光部とし、該非透光部の表裏両面を明色と暗色の異なる色に設定し、明色面側からは透視し難く、暗色面側からは透視し易くしてなることを特徴とする透過型衝立パネル。
【請求項２】
両側支扞と上下横扞で形成された枠体内に透過性を有するパネル体を装着してなる衝立パネルにおいて、前記パネル体に小さな透光部を密に形成するとともに、その他を非透光部とし、該非透光部の表裏両面を可視光に対して反射率が高い光反射面と吸収率が高い光吸収面に設定し、光反射面側からは透視し難く、光吸収面側からは透視し易くしてなることを特徴とする透過型衝立パネル。
【請求項３】
前記パネル体が、金属板若しくは合成樹脂板に密に小孔を形成して透過性を付与したものである請求項１又は２記載の透過型衝立パネル。
【請求項４】
前記パネル体が、透明なガラス板又は合成樹脂板の表裏両面に、前記透光部を残して異なる色の塗料をパターン印刷し又は前記透光部として密に小孔を形成した異なる色の合成樹脂フィルムを貼着してなる請求項１又は２記載の透過型衝立パネル。
【発明の詳細な説明】
【０００１】
【発明の属する技術分野】
本発明は、透過型衝立パネルに係わり、更に詳しくはパネル体の表裏の透視性に変化を持たせた透過型衝立パネルに関する。
【０００２】
【従来の技術】
従来、この種の衝立パネルとしては、本出願人の先願に係る実開平２−６８９１７号公報が存在する。この衝立パネルは、両側支扞と上下横扞で形成された枠体内に透過性を有するパネル体を装着したものである。
【０００３】
しかし、前記パネル体の透視性は、表裏両面で同一であり、変化がないものである。このような透過型衝立パネルは、空間を仕切った場合に透視できるので圧迫感を少なくするといった効果を有するが、設置場所によっては透視されたくない場合もある。このような場合に、従来は不透過性のパネル板を用いていたが、透過性の衝立パネルの間に、不透過性の衝立パネルが存在するといった違和感を呈するものであった。
【０００４】
【発明が解決しようとする課題】
本発明が前述の状況に鑑み、解決しようとするところは、光の透過性を維持しつつ、一方の面側からは透視し難く、他方の面側からは透視し易くして視覚的に変化を持たせた透過型衝立パネルを提供する点にある。
【０００５】
【課題を解決するための手段】
本発明は、前述の課題解決のために、両側支扞と上下横扞で形成された枠体内に透過性を有するパネル体を装着してなる衝立パネルにおいて、前記パネル体に小さな透光部を密に形成するとともに、その他を非透光部とし、該非透光部の表裏両面を明色と暗色の異なる色に設定し、明色面側からは透視し難く、暗色面側からは透視し易くしてなる透過型衝立パネル、あるいは前記パネル体に小さな透光部を密に形成するとともに、その他を非透光部とし、該非透光部の表裏両面を可視光に対して反射率が高い光反射面と吸収率が高い光吸収面に設定し、光反射面側からは透視し難く、光吸収面側からは透視し易くしてなる透過型衝立パネルを構成した。
【０００６】
ここで、前記パネル体が、金属板若しくは合成樹脂板に前記透光部として密に小孔を形成して透過性を付与したものであること、あるいは前記パネル体が、透明なガラス板又は合成樹脂板の表裏両面に、前記透光部を残して異なる色の塗料をパターン印刷し又は前記透光部として密に小孔を形成した異なる色の合成樹脂フィルムを貼着したものであることが好ましい。
【０００７】
このように構成した本発明の透過型衝立パネルは、パネル体の透光部を通して反対側を透視できるが、明色面側又は光反射面側から反対側を見ると、明色面又は光反射面で反射した光が直接目に入り、相対的に透光部を通過してくる光の割合が減るので、コントラストが悪くなって透視し難くなる。逆に、暗色面側又は光吸収面側から反対側を見ると、暗色面又は光吸収面で光が吸収されて反射して直接目に入る光が減り、相対的に透光部を通過してくる光の割合が増えるので、コントラストが良くなって透視し易くなる。
【０００８】
【発明の実施の形態】
次に、本発明の実施形態を添付図面に基づき更に詳細に説明する。図１〜図４は本発明に係る透過型衝立パネルの代表的実施形態を示し、図中符号１は支扞、２は横扞、３は連結具、４はパネル体、５はキャップ、６はアジャスター、７は連繋具をそれぞれ示している。
【０００９】
本発明に係る透過型衝立パネルは、両側の支扞１，１と上下の横扞２，２をそれぞれ連結具３，…を介して枠組み連結し、その枠体内にパネル体４を装着したものであり、前記支扞１の上下端部にキャップ５，５を嵌着するとともに、下部のキャップ５にアジャスター６を螺着している。また、衝立パネルを連結する場合には、隣接する両衝立パネルの各支扞１，１を連繋具７で屈曲自在に連結するのである。
【００１０】
以下に更に詳しく各部材を説明する。先ず、前記支扞１は、断面略馬蹄形の中空杆体形状に合成樹脂又はアルミニウムで押出し成形され、内側の全長に開口縁の幅を内部より狭く設定した凹溝８を形成するとともに、内部に該凹溝８の底面となる区画壁９を全長にわたり形成してなるものである。
【００１１】
前記横杆２は、少なくとも両端部に側方へ開口した略四角形の孔１０を形成するとともに、外側の両端から所定距離だけ長さ方向中央寄り位置に前記孔１０内に貫通した螺孔１１を形成してなるものである。
【００１２】
前記連結具３は、前記支扞１の凹溝８内に上下方向から嵌挿し得る垂直部１２と前記横杆２の孔１０に嵌挿し得る水平部１３とで略Ｌ字形に形成するとともに、前記垂直部１２に貫通した螺孔１４に、先端で前記区画壁９を押圧し得るネジ１５を螺合し、更に前記水平部１３の外面に形成した切欠部１６の先端側に前記横杆２の螺孔１１に螺合したネジ１７の先端を押圧当接し得る傾斜面１８を形成してなるものである。
【００１３】
ここで、前記支扞１の区画壁９には、その上下端から所定距離だけ中央寄り位置に、前記連結具３の垂直部１２に螺合したネジ１５の先端を係合し得る係合孔１９を形成することが好ましい。また、前記連結具３の垂直部１２の平面視形状を、前記支扞１の凹溝８内に上方から嵌挿し得る台形となすことも好ましい。
【００１４】
そして、前記パネル体４は、略全面に小さな透光部２０，…を密に形成するとともに、その他を非透光部２１となし、前記透光部２０，…の存在によって透過性を備えたものである。
【００１５】
また、前記キャップ５は、前記支扞１の断面外形状と略一致する平面視形状を有する閉塞板２２の上下一側面に、前記支扞１の端部開口に嵌挿し得る突部２３を一体形成したものであり、下部に用いるキャップ５には前記閉塞板２２から突部２３に上下貫通する調節用螺孔２４を形成している。
【００１６】
また、前記アジャスター６は、前記下部のキャップ５の調節用螺孔２４に上下調節可能に螺合し得る調節用螺軸２５の下端に接地板２６を連結したものである。
【００１７】
更に、前記連繋具７は、前記支扞１と略同一長さを有する板状部材であり、その両側縁に、前記支扞１の凹溝８とは反対側に沿って設けた内部が膨らんだ連結溝２７に上下方向から嵌入可能な突縁２８，２８を形成し、該突縁２８，２８間を可撓性のある幕板２９で連続させたものである。
【００１８】
このように左右の支扞１，１と上下の横杆２，２とを連結具３で連結して構成した枠体に前記パネル体４を取付けるのである。それには、前記支扞１の凹溝８と、横杆２の内部側全長に開口縁の幅を内部より狭くして形成した凹溝３０とに、軟弾性を有する長尺の保持部材３１，…を圧入し、前記パネル体４の周囲を該保持部材３１でガタツキなく保持するのである。
【００１９】
更に本発明の特徴である前記パネル体４を詳しく説明する。前記パネル体は、図５に示すように、前記透光部２０を除く非透光部２１の表裏両面を明色と暗色の異なる色に設定し、又は非透光部２１の表裏両面を可視光に対して反射率が高い光反射面と吸収率が高い光吸収面に設定している。図中符号Ａは明色面あるいは光反射面、Ｂは暗色面あるいは光吸収面をそれぞれ示している。
【００２０】
具体的に明色面（光反射面）Ａ及び暗色面（光吸収面）Ｂをパネル体４に形成するには、以下の各種の方法を採用することができる。先ず、図５（ａ）に示すものは、前記パネル体４を金属板若しくは合成樹脂板で形成し、それに密に小孔３２，…を形成して透過性を付与し、該小孔３２，…を透光部２０とし、その他の面を非透光部２１としたものである。そして、非透光部２１の片面を白系又は黒系に塗装した後、その面を養生し、反対面に相反する色を塗装し養生を外す方法、あるいは非透光部２１の両面を白系に塗装した後、片面に黒系のシート状フィルム又は合成樹脂板を貼着する方法、あるいは白系又は黒系のカラー鋼板を用い、その片面を養生し、反対面に相反する色を塗装し養生を外す方法、あるいは白系と黒系に塗装した２枚のパンチングメタルを張り合わせる方法によって、明色面（光反射面）Ａ及び暗色面（光吸収面）Ｂを形成する。
【００２１】
また、図５（ｂ）に示したものは、前記パネル体４として、透明なガラス板又は合成樹脂板の表裏両面に、前記透光部２０を残して異なる色の塗料をパターン印刷し又は前記透光部２０として密に小孔を形成した異なる色の合成樹脂フィルムを貼着したものである。
【００２２】
以上説明した本発明の作用効果、即ち明色面側又は光反射面側から反対側を見ると透視し難く、逆に暗色面側又は光吸収面側から反対側を見ると透視し易くなることを視覚的に示すため、図６（ａ）にパネル体４の明色面（光反射面）Ａ側から反対側に置いたサンプル画３３を透視した場合を示し、図６（ｂ）にパネル体４の暗色面（光吸収面）Ｂ側から反対側に置いたサンプル画３３を透視した場合を示している。明らかに、後者の場合の方が、サンプル画３３を見易いことが分かる。
【００２３】
【発明の効果】
以上にしてなる請求項１又は２に係る発明の透過型衝立パネルは、パネル体に小さな透光部を密に形成するとともに、その他を非透光部とし、該非透光部の表裏両面を明色と暗色の異なる色に設定し、あるいは該非透光部の表裏両面を可視光に対して反射率が高い光反射面と吸収率が高い光吸収面に設定したので、光の透過性を維持しつつ、一方の面側からは透視し難く、他方の面側からは透視し易くして視覚的に変化を持たせることができた。
【図面の簡単な説明】
【図１】本発明の代表的実施形態を示す衝立パネルの分解斜視図である。
【図２】同じく組立状態の衝立パネルの上部を示す縦断面図である。
【図３】同じく組立状態の衝立パネルの下部を示す縦断面図である。
【図４】複数の衝立パネルを連結する構造を示す部分省略平面図である。
【図５】パネル体の拡大断面図である。
【図６】パネル体の両面から反対側を透視した場合の透視の難易を視覚的に示した説明図である。
【符号の説明】
１  支扞                  ２  横杆
３  連結具                ４  パネル体
５  キャップ              ６  アジャスター
７  連繋具                ８  凹溝
９  区画壁                １０  孔
１１  螺孔                １２  垂直部
１３  水平部              １４  螺孔
１５  ネジ                １６  切欠部
１７  ネジ                １８  傾斜面
１９  係合孔              ２０  透光部
２１  非透光部            ２２  閉塞板
２３  突部                ２４  調節用螺孔
２５  調節用螺軸          ２６  接地板
２７  連結溝              ２９  幕板
３０  凹溝                ３１  保持部材
３２  小孔                ３３  サンプル画
【図１】
0003864622.tif 000002
【図２】
0003864622.tif 000003
【図３】
0003864622.tif 000004
【図４】
0003864622.tif 000005
【図５】
0003864622.tif 000006
【図６】
0003864622.tif 000007